(57)【要約】【課題】防食剤を端子付き電線の芯線露出部に対して安定して塗布すること。【解決手段】電線１２０に端子１３０が圧着された端子付き電線１１０に対して、防食剤８０を塗布する防食剤塗布装置１０であって、溶融した防食剤８０を貯留可能な防食剤槽２０と、溶融した防食剤８０を上方に向けて案内可能な噴流部３０と、防食剤槽２０に貯留された溶融した防食剤８０を、噴流部３０を通じて端子付き電線１１０の芯線露出部１２２に向けて噴流可能な噴流機構部２６と、を備えている。【選択図】図２
2011087381.tif 000002
【特許請求の範囲】
【請求項１】
電線に端子が圧着された端子付き電線に対して、防食剤を塗布する防食剤塗布装置であって、
溶融した防食剤を貯留可能な防食剤槽と、
前記溶融した防食剤を上方に向けて案内可能な噴流部と、
前記防食剤槽に貯留された前記溶融した防食剤を、前記噴流部を通じて前記端子付き電線の芯線と前記端子との接触部近傍に向けて噴流可能な噴流機構部と、
を備えている防食剤塗布装置。
【請求項２】
前記端子の底部の一部から突出する芯線圧着部が前記電線の前記芯線に対して圧着され、前記芯線圧着部の両側で部分的に前記芯線が露出した前記端子付き電線を対象とする請求項１記載の防食剤塗布装置であって、
前記噴流部は、前記端子付き電線のうち前記芯線の露出部に対向可能に配設されている防食剤塗布装置。
【請求項３】
請求項１又は２に記載の防食剤塗布装置であって、
前記噴流部は、前記端子付き電線の前記芯線の露出部に対応して複数配設され、前記芯線露出部が、噴流された前記溶融した防食剤から離間されるにつれて、前記複数配設された噴流部のうち前記端子付き電線の端子嵌合部側近傍に配設された噴流部から噴流される前記溶融した防食剤が、他の前記噴流部から噴流される前記溶融した防食剤より先に、前記端子付き電線に付着した防食剤から分離されるように構成されている防食剤塗布装置。
【請求項４】
請求項１〜３のいずれか一項に記載の防食剤塗布装置であって、
前記端子付き電線の前記芯線の露出部に対応して配設された前記噴流部の先端側部分は、前記端子付き電線の前記端子嵌合部側から芯線圧着部側に向けて、前記噴流部の先端側から基端側に傾斜するように形成されている防食剤塗布装置。
【請求項５】
請求項１〜４のいずれか一項に記載の防食剤塗布装置であって、
前記端子付き電線の前記芯線に圧着された芯線圧着部近傍を加熱可能な加熱装置をさらに備えている防食剤塗布装置。
【請求項６】
電線に端子が圧着された端子付き電線に対して防食剤を塗布する際に、前記端子付き電線を保持するための端子付き電線保持部材であって、
前記端子付き電線を、前記芯線に圧着された芯線圧着部近傍を露出させる態様で保持可能な保持部と、
前記保持部に保持された前記端子付き電線の端子嵌合部を冷却可能な冷却部と、
を備えている端子付き電線保持部材。
【請求項７】
前記端子の底部の一部から突出する芯線圧着部が前記電線の前記芯線に対して圧着され、前記芯線圧着部の両側で部分的に前記芯線が露出した前記端子付き電線を対象とする請求項１〜５のいずれか一項に記載の防食剤塗布装置であって、
請求項６記載の端子付き電線保持部材と、
前記端子付き電線保持部材を、前記端子付き電線の前記芯線の露出部が前記噴流部に対向可能な姿勢で、前記噴流部を通じて噴流される前記溶融した防食剤に浸る位置に移動可能な移動機構部と、
をさらに備えている防食剤塗布装置。
【請求項８】
電線に端子が圧着された端子付き電線に対して防食剤を塗布する、前記端子付き電線に対する防食剤塗布方法であって、
（ａ）溶融した防食剤を噴流する工程と、
（ｂ）前記端子付き電線を、前記芯線と前記端子との接触部近傍が、噴流されている前記溶融した防食剤に浸る位置に配設して、前記接触部近傍に前記溶融した防食剤を塗布する工程と、
を備えている防食剤塗布方法。
【請求項９】
請求項８記載の防食剤塗布方法であって、
（ｃ）前記防食剤塗布前の前記端子付き電線の前記芯線の芯線圧着部近傍を加熱する工程をさらに備えている防食剤塗布方法。
【請求項１０】
請求項８又は９に記載の防食剤塗布方法であって、
（ｄ）前記防食剤を塗布した後、前記端子付き電線の前記芯線の芯線圧着部近傍を加熱する工程をさらに備えている防食剤塗布方法。
【請求項１１】
請求項８〜１０のいずれか一項に記載の防食剤塗布方法によって製造された、防食剤塗布端子付き電線。
【請求項１２】
端子の底部の一部から突出する芯線圧着部が電線の芯線に対して圧着され、前記芯線の露出部に対して防食剤が塗布された防食剤塗布部を備える防食剤塗布端子付き電線であって、
前記防食剤は、前記芯線露出部に対して、前記端子の前記底部側から前記電線の前記芯線側に向かって徐々に厚くなるように塗布されている防食剤塗布端子付き電線。
【発明の詳細な説明】
【技術分野】
【０００１】
自動車及び機器用ハーネスの端子付き電線に対する電食防止技術に関する。
【背景技術】
【０００２】
自動車及び機器用ハーネスには、電線に金属端子が取り付けられた端子付き電線が組込まれることがあり、この端子付き電線の芯線及び端子にはそれぞれ異種金属が採用されることがある。この場合、異種金属（芯線と端子）の接触部に電解質水溶液が付着すると、金属同士の標準電極電位差により、標準電極電位が低い金属に腐食（電食）が発生する恐れがある。このような異種金属間の電食を防止するための方法として、異種金属のうち電位が低い金属に対して防食剤を塗布して防食処理を行うことが考えられる。
【０００３】
防食処理方法としては、各種ワセリン、グリース、或は、特許文献１に開示の処理剤を、常温下で金属表面に塗布する方法がある。
【０００４】
しかしながら、上記のような防食剤は、熱或は溶剤等により、容易に揮発、溶出する恐れがあり、その防食効果が低下する恐れがある。
【０００５】
そこで、金属表面との密着性に優れ、長期間にわたって安定した防食効果を発揮し得る防食剤として、常温下では固体であり、所定の高温下で溶融して液体に変化する防食剤を、金属表面に塗布する技術が種々開発されている。
【先行技術文献】
【特許文献】
【０００６】
【特許文献１】特開平１１−１６６１５１号公報
【発明の概要】
【発明が解決しようとする課題】
【０００７】
そして、上記のような異種金属の芯線と端子とを有する端子付き電線においては、上記のような防食剤を、芯線露出部に対して、塗布過多或は塗布不足が無いように適切に（芯線露出部の表面を覆うように）塗布する必要がある。
【０００８】
そこで、本発明は、防食剤を端子付き電線の芯線露出部に対して安定して適切に塗布することを目的とする。
【課題を解決するための手段】
【０００９】
第１の態様に係る防食剤塗布装置は、電線に端子が圧着された端子付き電線に対して、防食剤を塗布する防食剤塗布装置であって、溶融した防食剤を貯留可能な防食剤槽と、前記溶融した防食剤を上方に向けて案内可能な噴流部と、前記防食剤槽に貯留された前記溶融した防食剤を、前記噴流部を通じて前記端子付き電線の芯線と前記端子との接触部近傍に向けて噴流可能な噴流機構部と、を備えている。
【００１０】
第２の態様に係る防食剤塗布装置は、前記端子の底部の一部から突出する芯線圧着部が前記電線の前記芯線に対して圧着され、前記芯線圧着部の両側で部分的に前記芯線が露出した前記端子付き電線を対象とする第１の態様に係る防食剤塗布装置であって、前記噴流部は、前記端子付き電線のうち前記芯線の露出部に対向可能に配設されている。
【００１１】
第３の態様に係る防食剤塗布装置は、第１又は２の態様に係る防食剤塗布装置であって、前記噴流部は、前記端子付き電線の前記芯線の露出部に対応して複数配設され、前記芯線露出部が、噴流された前記溶融した防食剤から離間されるにつれて、前記複数配設された噴流部のうち前記端子付き電線の端子嵌合部側近傍に配設された噴流部から噴流される前記溶融した防食剤が、他の前記噴流部から噴流される前記溶融した防食剤より先に、前記端子付き電線に付着した防食剤から分離されるように構成されている。
【００１２】
第４の態様に係る防食剤塗布装置は、第１〜３の態様のいずれか一態様に係る防食剤塗布装置であって、前記端子付き電線の前記芯線の露出部に対応して配設された前記噴流部の先端側部分は、前記端子付き電線の前記端子嵌合部側から圧着部側に向けて、前記噴流部の先端側から基端側に傾斜するように形成されている。
【００１３】
第５の態様に係る防食剤塗布装置は、第１〜４の態様のいずれか一態様に係る防食剤塗布装置であって、前記端子付き電線の前記芯線に圧着された前記端子の芯線圧着部近傍を加熱可能な加熱装置をさらに備えている。
【００１４】
第６の態様に係る端子付き電線保持部材は、電線に端子が圧着された端子付き電線に対して防食剤を塗布する際に、前記端子付き電線を保持するための端子付き電線保持部材であって、前記端子付き電線を、前記芯線に圧着された芯線圧着部近傍を露出させる態様で保持可能な保持部と、前記保持部に保持された前記端子付き電線の端子嵌合部を冷却可能な冷却部と、を備えている。
【００１５】
第７の態様に係る防食剤塗布装置は、前記端子の底部の一部から突出する芯線圧着部が前記電線の前記芯線に対して圧着され、前記芯線圧着部の両側で部分的に前記芯線が露出した前記端子付き電線を対象とする第１〜５の態様のいずれか一態様に係る防食剤塗布装置であって、第６の態様に係る端子付き電線保持部材と、前記端子付き電線保持部材を、前記端子付き電線の前記芯線の露出部が前記噴流部に対向可能な姿勢で、前記噴流部を通じて噴流される前記溶融した防食剤に浸る位置に移動可能な移動機構部と、をさらに備えている。
【００１６】
第８の態様に係る防食剤塗布方法は、電線に端子が圧着された端子付き電線に対して防食剤を塗布する、前記端子付き電線に対する防食剤塗布方法であって、（ａ）溶融した防食剤を噴流する工程と、（ｂ）前記端子付き電線を、前記芯線と前記端子との接触部近傍が、噴流されている前記溶融した防食剤に浸る位置に配設して、前記接触部近傍に前記溶融した防食剤を塗布する工程と、を備えている。
【００１７】
第９の態様に係る防食剤塗布方法は、第８に係る防食剤塗布方法であって、（ｃ）前記防食剤塗布前の前記端子付き電線の前記芯線の芯線圧着部近傍を加熱する工程をさらに備えている。
【００１８】
第１０の態様に係る防食剤塗布方法は、第８又は９の態様に係る防食剤塗布方法であって、（ｄ）前記防食剤を塗布した後、前記端子付き電線の前記芯線の芯線圧着部近傍を加熱する工程をさらに備えている。
【００１９】
第１１の態様に係る防食剤塗布端子付き電線は、第８〜１０の態様のいずれか一態様に係る防食剤塗布方法によって製造されている。
【００２０】
第１２の態様に係る防食剤塗布端子付き電線は、端子の底部の一部から突出する芯線圧着部が電線の芯線に対して圧着され、前記芯線の露出部に対して防食剤が塗布された防食剤塗布部を備える防食剤塗布端子付き電線であって、前記防食剤は、前記芯線露出部に対して、前記端子の前記底部側から前記電線の前記芯線側に向かって徐々に厚くなるように付着している。
【発明の効果】
【００２１】
第１の態様に係る防食剤塗布装置によると、防食剤槽に貯留された溶融した防食剤を噴流機構部により噴流部を通じて噴流するため、端子付き電線の芯線露出部を噴流された溶融した防食剤に浸せばよい。これにより、端子付き電線の芯線露出部に対して防食剤を安定して適切に塗布することができ、より確実に防食処理を施すことができる。
【００２２】
第２の態様に係る防食剤塗布装置によると、噴流部が芯線露出部に対向可能に配設されているため、端子付き電線の芯線露出部に対してより確実に防食剤を塗布することができる。
【００２３】
第３の態様に係る防食剤塗布装置によると、複数配設された噴流部のうち端子付き電線の端子嵌合部側近傍に配設された噴流部から噴流される溶融した防食剤が、他より先に端子付き電線に付着した防食剤から分離されるため、端子嵌合部に余分な防食剤が付着することを抑制することができる。
【００２４】
第４の態様に係る防食剤塗布装置によると、噴流部から噴流される溶融した防食剤は、噴流部の傾斜形状により端子嵌合部側から芯線圧着部側に向けて流れるため、端子嵌合部に余分な防食剤が付着することをより効果的に抑制することができる。
【００２５】
第５の態様に係る防食剤塗布装置によると、防食剤を塗布する前に、端子付き電線の芯線に圧着された端子の芯線圧着部近傍を加熱することにより、溶融した防食剤が付着し易くなる（塗布しやすくなる）ため、防食処理時間を短縮できると共に防食剤を良好に塗布することができる。また、防食剤を塗布した後に、芯線圧着部近傍を加熱することにより、芯線露出部に塗布された防食剤を、芯線露出部の隅々にまで行き亘らせることができ、より良好な防食性能を得ることができる。
【００２６】
第６の態様に係る端子付き電線保持部材によると、端子付き電線の芯線圧着部近傍を露出させる態様で保持するため、製品ごとに略同一の端子付き電線の位置及び姿勢を維持した状態で芯線圧着部近傍に対して防食剤を塗布することができる。これにより、製品ごとに安定した防食性能を得ることができる。また、冷却部により端子付き電線の端子嵌合部を冷却できるため、溶融した防食剤が端子嵌合部側に流れ込んで余分な防食剤が付着することを抑制することができる。
【００２７】
第７の態様に係る防食剤塗布装置によると、端子付き電線保持部材に保持された端子付き電線を、芯線露出部が噴流部に対向可能な姿勢で噴流部から噴流される溶融した防食剤に浸すことができるため、より確実に、芯線露出部に対して防食剤を塗布することができる。
【００２８】
第８の態様に係る防食剤塗布方法によると、溶融した防食剤を噴流し、そこに端子付き電線の芯線露出部を浸して防食剤を塗布している。これにより、端子付き電線の芯線の露出部に対して防食剤を安定して塗布することができ、より確実に防食処理を施すことができる。
【００２９】
第９の態様に係る防食剤塗布方法によると、防食剤塗布前の端子付き電線の芯線圧着部近傍を加熱するため、溶融した防食剤が芯線圧着部近傍に付着し易くなり（塗布し易くなり）、防食処理時間を短縮できると共に防食剤を良好に塗布することができる。
【００３０】
第１０の態様に係る防食剤塗布方法によると、防食剤が塗布された端子付き電線の芯線圧着部近傍を加熱するため、芯線露出部及び端子に塗布された防食剤を、芯線露出部の隅々にまで行き亘らせることができ、より良好な防食性能を得ることができる。
【００３１】
第１１の態様に係る防食剤塗布端子付き電線によると、端子付き電線の芯線露出部に対して溶融した防食剤が噴流されているため、溶融した防食剤の一部が重力により芯線露出部の尖端等に集まった状態で塗布されている。このため、芯線圧着部を上方に向けて防食剤を塗布する場合と比較して、芯線露出部の尖端等の周りで防食剤が厚く付着しており、高い防食性能を発揮することができる。
【００３２】
第１２の態様に係る防食剤塗布端子付き電線によると、防食剤が芯線露出部に対して、端子の底部側から電線の芯線側に向かって徐々に厚くなるように付着している。このため、芯線露出部の尖端等の周りに防食剤が厚く付着しており、高い防食性能を発揮することができる。
【図面の簡単な説明】
【００３３】
【図１】端子付き電線の一例を示す側面図である。
【図２】防食剤塗布装置の概略図である。
【図３】防食剤槽及び噴流部及び噴流機構部を示す概略図である。
【図４】噴流部を示す図である。
【図５】端子付き電線保持部材の平面（背面）図である。
【図６】端子付き電線保持部材の側面図である。
【図７】移動機構部による端子付き電線保持部材の移動動作を示す図である。
【図８】防食剤塗布前の端子付き電線に対する加熱動作を示す図である。
【図９】端子付き電線の噴流部に対する近接移動動作を示す図である。
【図１０】端子付き電線を防食剤に浸した状態を示す図である。
【図１１】端子付き電線の噴流部に対する離間移動動作を示す図である。
【図１２】防食剤が分離する動作を示す図である。
【図１３】防食剤塗布後の端子付き電線に対する加熱動作を示す図である。
【図１４】防食剤塗布端子付き電線の側面図である。
【図１５】図１４におけるＸＶ−ＸＶ線断面図である。
【発明を実施するための形態】
【００３４】
以下、本実施形態に係る防食剤塗布装置、端子付き電線保持部材、防食剤塗布方法及び防食剤塗布端子付き電線について説明する。
【００３５】
＜１．端子付き電線について＞
説明の便宜上、本防食剤塗布装置により防食剤を塗布する対象である端子付き電線１１０について説明する（図１参照）。
【００３６】
この端子付き電線１１０は、電線１２０に端子１３０が圧着されて形成され、電線１２０の芯線と端子１３０とが異種金属で構成されている。以下、端子付き電線１１０の一例を示す。
【００３７】
電線１２０は、アルミニウム（或いはアルミニウム合金）線で構成された芯線が、その外周を樹脂等で形成された被覆部１２４により被覆されて構成されている。ここでは、芯線は、複数のアルミニウム（アルミニウム合金）線を撚って構成されている。そして、電線１２０の端部は、被覆部１２４が皮剥ぎされ、芯線が露出するように加工されている。以下、芯線のうち被覆部１２４が皮剥ぎされて露出された部分を、芯線端部として説明する。
【００３８】
また、端子１３０は、一方向に長尺に形成され、その長手方向先端側から基端側に向けて順に、端子嵌合部１１２、芯線圧着部１１４及び被覆圧着部１１６を有している。より具体的には、端子１３０は、端子嵌合部１１２、芯線圧着部１１４及び被覆圧着部１１６がそれぞれ離間するように形成されている。この端子１３０は、銅（或いは黄銅等の銅合金、或いはこれらのスズメッキ）板を打ち抜き、屈曲等して一体形成されている。ここでは、端子１３０がメス端子である場合について説明する。もっとも、端子１３０はオス端子であってもよい。
【００３９】
端子嵌合部１１２は、オス端子１３５が嵌合状に挿入接続される。ここでは、端子１３０の長手方向に沿って貫通する筒状（より具体的には角筒状）に形成されている。また、端子嵌合部１１２内部には、前記オス端子１３５接触用の接触片１１３が備えられている。
【００４０】
端子１３０の端子嵌合部１１２より基端側部分は、端子嵌合部１１２の一部から端子１３０の長手方向に延びる底部１１８の一部から、芯線圧着部１１４及び被覆圧着部１１６が端子１３０の長手方向に直交する一方側に向けて突出するように形成されている。より具体的には、芯線圧着部１１４及び被覆圧着部１１６が電線１２０に圧着されない状態で、一方側（芯線圧着部１１４及び被覆圧着部１１６の突出側）から電線１２０端部を配設可能なように、前記一方側が開口する断面視略Ｕ字形状に形成されている。
【００４１】
そして、端子付き電線１１０は、電線１２０の芯線端部が端子１３０の底部１１８のうち芯線圧着部１１４の対向する２片間に配設されると共に、被覆部１２４が被覆圧着部１１６の対向する２片間に配設され、この状態で、芯線圧着部１１４が芯線端部の長手方向一部の外周を覆うように圧着されると共に、被覆圧着部１１６が被覆部１２４のうち芯線端部側部分に圧着されて構成されている。ここでは、電線１２０の芯線端部のうち中間部分が芯線圧着部１１４と圧着され、先端部分と基端部分とは底部１１８の前記一方側で、端子１３０の長手方向において芯線圧着部１１４の両側から外方に露出された状態となっている。以下、芯線端部のうち芯線圧着部１１４から露出された部分を芯線露出部１２２として説明する。なお、この芯線露出部１２２とは、芯線端部のうち芯線圧着部１１４から露出される部分を指し、例えば、圧着態様により、芯線端部に圧着された芯線圧着部１１４の対向する２片の間から芯線圧着部１１４の突出方向に露出される場合の露出部も含む部分である。ここでは、特に、芯線圧着部１１４の端子嵌合部１１２側から露出される部分を芯線露出部１２２ａ、被覆部１２４側から露出される部分を芯線露出部１２２ｂとする。また、端子１３０は、電線１２０に対して、端子１３０の端子嵌合部１１２と電線１２０の芯線露出部１２２ａとを端子１３０の長手方向に離間させた状態で圧着されている。
【００４２】
なお、ここでは、端子付き電線１１０について、電線１２０の端部の被覆部１２４が皮剥ぎされて露出された芯線端部に対して、端子１３０の芯線圧着部１１４が圧着されている例で説明したが、これに限られるものではない。例えば、端子付き電線は、長手方向中途部で被覆部１２４が皮剥ぎされて芯線が露出された複数の電線に対して、当該露出された芯線同士を接続するように端子が圧着された構成であってもよい。
【００４３】
上記のように、ここでは、電線１２０の芯線がアルミニウム（アルミニウム合金）、端子１３０が銅（或いは黄銅等の銅合金、或はこれらのスズメッキ）板で構成されており、両金属間では、端子１３０より芯線の標準電極電位が低い関係にある。これにより、芯線圧着部１１４と芯線端部との接触部に水（電解質水溶液）が付着すると、芯線露出部１２２に腐食（電食）が発生する恐れがある。以下、芯線及び端子１３０が上記関係であることを前提として、芯線露出部１２２に対する防食処理を行う例で説明する。
【００４４】
また、上記端子１３０の端子嵌合部１１２、芯線圧着部１１４、被覆圧着部１１６を、端子付き電線１１０の端子嵌合部１１２、芯線圧着部１１４、被覆圧着部１１６として説明することがある。
【００４５】
＜２．防食剤塗布装置の構成＞
次に、本実施形態に係る防食剤塗布装置１０の構造について詳細に説明する（図２参照）。本防食剤塗布装置１０は、上記のような電線１２０の芯線と端子１３０とが異種金属である端子付き電線１１０について、芯線露出部１２２と端子１３０との接触部近傍に防食剤８０を塗布する装置である。より具体的には、溶融した防食剤８０を噴流し、噴流されている溶融した防食剤８０に端子付き電線１１０の芯線露出部１２２を浸すことにより端子付き電線１１０に防食剤８０を塗布するように構成されている。なお、ここでは、上記接触部近傍とは、主として芯線露出部１２２をいう。好ましくは、芯線露出部１２２に隣接する端子１３０の芯線圧着部１１４及び底部１１８にも溶融した防食剤８０が塗布されるとよい。
【００４６】
また、上記防食剤８０は、キレート剤とも呼ばれ、常温では固体であり、加熱されることにより溶融して液体に変化する物性を有している。ここでは、溶融した液体のキレート剤を、上記電線１２０の芯線露出部１２２を覆うように塗布して封止することにより、芯線露出部１２２に電食が発生することを防止している。
【００４７】
本防食剤塗布装置１０は、防食剤槽２０と、噴流機構部２６と、噴流部３０と、端子付き電線保持部材４０と、移動機構部５０と、局所加熱部６０とを備えている（図２参照）。
【００４８】
防食剤槽２０は、溶融した防食剤８０を貯留可能な容器形状（ここでは、略直方体容器形状）に構成されている（図３参照）。より具体的には、防食剤槽２０は、貯留される防食剤８０を溶融状態に維持可能な温度（例えば１１５度）に加熱調節可能なヒーター部２２を有している。このヒーター部２２は、図示省略の温度センサの出力に応じてＯＮ／ＯＦＦし、防食剤８０を溶融状態で一定温度に維持可能に構成されている。
【００４９】
噴流部３０は、上方に向けて開口し、溶融した防食剤８０を上方に向けて案内可能に構成されている。より具体的には、噴流部３０は、溶融した防食剤８０が通過可能な内孔を有する筒状に形成されている（図４参照）。
【００５０】
この噴流部３０は、端子付き電線１１０の芯線露出部１２２ａ、１２２ｂにそれぞれ対向可能な位置関係で、複数（ここでは２つ）配設されている。つまり、複数の噴流部３０は、後述する噴流機構部２６により各噴流部３０の開口を通じて噴流される溶融した防食剤８０が、芯線露出部１２２ａ、１２２ｂに対して、それぞれ塗布可能なように（浴びせられるように）配設されている。そして、複数の噴流部３０は、後述する噴流機構部２６の防食剤送り室部２７の上蓋部２７ａに対して、上方に向けて開口するように並列配設されている。
【００５１】
ところで、端子付き電線１１０の端子嵌合部１１２のうち芯線露出部１１２ａ側の開口付近に溶融した防食剤８０が噴流されると、表面張力或いは毛細管現象等により、端子嵌合部１１２に溶融した防食剤８０が流れ込む恐れがある。端子嵌合部１１２内の先端側（例えば、前記接触片１１３近傍）に防食剤８０が付着すると、オス端子１３５が挿入接続される際、接触不良が発生する恐れがある。
【００５２】
そこで、複数の噴流部３０は、端子付き電線１１０の芯線露出部１２２ａ、１２２ｂが、噴流される溶融した防食剤８０から離間されるにつれて、複数の噴流部３０のうち端子付き電線１１０の芯線露出部１２２ａに対応して配設された噴流部３０から噴流される溶融した防食剤８０が、他の噴流部３０から噴流される溶融した防食剤８０より先に、端子付き電線１１０に付着した防食剤８０から分離される（液切れする）ように構成されている。ここで、複数の噴流部３０のうち、端子付き電線１１０の芯線露出部１２２ａに対応して配設されたものを噴流部３０ａ、被覆圧着部１１６側の芯線露出部１２２ｂに対応して配設されたものを噴流部３０ｂとする。
【００５３】
より具体的には、端子付き電線１１０の芯線露出部１２２ａに対応して配設された噴流部３０ａ（ここでは噴流部３０ａの先端側部分）は、被覆圧着部１１６側に向けて、噴流部３０の先端側から基端側に傾斜するように形成されている。ここでは、噴流部３０ａは、端子付き電線１１０の芯線露出部１２２ｂが噴流部３０ｂから噴流される溶融した防食剤８０に浸された位置で、傾斜形状の先端部が芯線露出部１２２ａと端子嵌合部１１２との間の空間に配設される位置に配設されている（図４参照）。
【００５４】
上記噴流部３０ａの傾斜形状は、噴流される防食剤８０の流れ、及び、端子付き電線１１０に付着した防食剤８０に対する液切れのし易さを考慮して形成された形状である。すなわち、噴流部３０ａから噴流される溶融した防食剤８０は、主として（端子嵌合部１１２とは反対側の）芯線露出部１２２ａに対して広がるように噴流される。つまり、噴流部３０ａの形状は、噴流部３０ａから噴流される溶融した防食剤８０が端子嵌合部１１２側に流れ込み難い形状である。また、噴流部３０ａから噴流される防食剤８０が端子嵌合部１１２側に流れ難いため、噴流部３０ａの傾斜部分の先端部と芯線露出部１２２ａとの間でつながっている防食剤８０の量が噴流部３０ｂと芯線露出部１２２ｂとの間でつながっている防食剤８０の量より少なくなっている。これにより、端子付き電線１１０が噴流部３０ａ、３０ｂから離間移動されると、噴流部３０ａから噴流される防食剤８０は、噴流部３０ｂから噴流されている防食剤８０より先に、端子付き電線１１０に付着した防食剤８０から液切れする。
【００５５】
また、この噴流部３０ａの先端傾斜角は、噴流部３０ａの先端が端子付き電線１１０の端子嵌合部１１２と芯線露出部１２２ａとの間の空間に配設された状態で、溶融した防食剤８０が芯線露出部１２２ａ全体に向けて広がるような角度に設定されているとよい。
【００５６】
他にも、噴流部３０ａから噴流される溶融した防食剤８０が、噴流部３０ｂから噴流される溶融した防食剤８０より先に、端子付き電線１１０に付着した防食剤８０から分離させるためには、噴流部３０ａと噴流部３０ｂとで噴流される防食剤８０の高さを変えればよい。例えば、噴流部３０ａと噴流部３０ｂとの内孔径を変える構成を採用することができる。
【００５７】
噴流機構部２６は、防食剤槽２０に貯留された溶融した防食剤８０を、噴流部３０から端子付き電線１１０の芯線露出部１２２ａ、１２２ｂに向けて噴流可能に構成されている（図３参照）。この噴流機構部２６は、防食剤槽２０に貯留されている溶融した防食剤８０を、防食剤槽２０内とその外方（ここでは上方）に開口するように配設された防食剤送り室部２７内に送るように構成されている。防食剤送り室部２７内に溶融した防食剤８０を送る構成としては、例えば、防食剤送り室部２７内（或いは防食剤槽２０内の開口近傍）に配設されたプロペラ２９をモータ２８により回転駆動する構成を採用することができる。
【００５８】
また、ここでは、防食剤送り室部２７の防食剤槽２０の外方に開口する部分を塞ぐように上蓋部２７ａが配設されている。上記噴流部３０は、この上蓋部２７ａに対して、上蓋部２７ａが配設される防食剤送り室部２７の内部からその外方に貫通するように、形成されている。この噴流部３０が形成された上蓋部２７ａは、対象となる端子付き電線１１０の種類に応じて複数準備され、異なる形状の噴流部３０を有するものに交換可能であるとよい。
【００５９】
上記構成により、溶融状態で防食剤槽２０に貯留されている防食剤８０は、プロペラ２９の回転により防食剤送り室部２７内に送られ、その上蓋部２７ａ側に向けて移動される。そして、防食剤送り室部２７内に送られた溶融した防食剤８０は、噴流部３０を通じてその開口から噴流される。ここで、溶融した防食剤８０は、プロペラ２９がモータ２８により回転駆動されている間、噴流部３０から噴流され続ける（なお、防食剤槽２０内に規定量以上の防食剤８０が貯留されているものとする）。
【００６０】
端子付き電線保持部材４０は、端子付き電線１１０に対して防食剤８０を塗布する際に、端子付き電線１１０を保持するための部材である（図５、図６参照）。
【００６１】
端子付き電線保持部材４０は、保持部４２と冷却部４８とを備えている。ここでは、端子付き電線保持部材４０は、板状の本体部４１の一主面に対して保持部４２と冷却部４８とが配設されて構成されている。上記本体部４１の略中央部には、その一主面側から他主面側に貫通する略長方形の溝部４１ａが形成されている。
【００６２】
保持部４２は、端子付き電線１１０の芯線圧着部１１４及び芯線露出部１２２ａ、１２２ｂ近傍を露出させる態様で保持可能に構成されている。より具体的には、保持部４２は、本体部４１、端子収容部４４と電線収容部４６とを溝部４１ａを介して設けている。
【００６３】
端子収容部４４は、端子付き電線１１０の端子嵌合部１１２の先端側部分（或いは全体）を収容可能な穴部４４ａを有している。より具体的には、穴部４４ａは、端子収容部４４と対向する電線収容部４６に向けて開口するように形成されている。この穴部４４ａは、端子嵌合部１１２の断面形状より大きく（ここでは僅かに大きく）開口する略直方体空間を有するように形成されている。また、穴部４４ａの開口縁部のうち本体部４１の一主面から遠い側の一辺には、穴部４４ａの奥部から開口に向けて本体部４１の一主面から離れるように傾斜するテーパーが形成されているとよい。これにより、端子付き電線１１０の端子嵌合部１１２を穴部４４ａ内に挿入し易くなる。
【００６４】
電線収容部４６は、端子付き電線１１０を構成している電線１２０のうち、被覆圧着部１１６の後方（図５、図６の左側）に延びる部分の一部を略直線状の姿勢で配設可能な溝部４６ａを有している。より具体的には、溝部４６ａは、上記端子収容部４４の穴部４４ａに対して本体部４１の溝部４１ａを挟んで対向する位置に配設されている。また、溝部４６ａは、本体部４１の他主面側から一主面側に向かう方向に開口すると共に、穴部４４ａとの対向方向に沿って延在するように形成されている。
【００６５】
端子収容部４４と電線収容部４６とは、端子付き電線１１０の端子嵌合部１１２の後端部から被覆圧着部１１６の後端部までの寸法より大きい寸法離間した位置に配設されている。
【００６６】
また、ここでは、保持部４２は、複数の端子付き電線１１０を並列状に保持可能に構成されている。すなわち、端子収容部４４及び電線収容部４６は、穴部４４ａ及び溝部４６ａを、その幅方向に並列状に複数（ここでは１６対）有している。
【００６７】
さらに、保持部４２には、上記電線収容部４６の溝部４６ａ内に配設された電線１２０が、溝部４６ａの開口から抜出すことを防止するために抜止め部４７が備えられているとよい。この抜止め部４７の構成としては、例えば、略円板形状の部材を偏心位置で電線収容部４６の幅方向一方側にピン止め等により回転可能に取り付け、当該円板部材の回転により抜止め姿勢と解除姿勢との間で姿勢変更する構成を採用することができる。
【００６８】
そして、保持部４２に端子付き電線１１０をセットする際には、端子嵌合部１１２の先端側部分を端子収容部４４の穴部４４ａにその開口を通じて挿入すると共に、端子１３０後方の電線１２０を電線収容部４６の溝部４６ａ内に配設する。さらに、上記抜止め部４７を姿勢変更させると、端子付き電線１１０が保持部４２に保持された状態となる。この状態で、端子付き電線１１０の芯線端部と端子１３０との接触部近傍が溝部４１ａを通じて外方に露出される。より具体的には、端子付き電線１１０は、芯線露出部１２２が、本体部４１の他主面側から一主面側に向かう方向に露出される姿勢で、端子付き電線保持部材４０に保持される。
【００６９】
冷却部４８は、保持部４２に保持された端子付き電線１１０の端子嵌合部１１２を冷却可能に構成されている。より具体的には、冷却部４８は、端子収容部４４の穴部４４ａ及び電線収容部４６の溝部４６ａの並列方向（つまり幅方向）に沿って、端子収容部４４の側方に配設された空洞部４９を有し、この空洞部４９内に冷媒（水（液体）又は空気（気体））を循環するように構成されている。ここでは、端子収容部４４と空洞部４９とは、一体形成され、本体部４１の一主面に配設されている。この端子収容部４４と空洞部４９とは、熱伝導性を良好にするため、金属部材（例えば銅、アルミニウム等）で形成されている。つまり、冷却部４８は、空洞部４９内を循環する冷媒により端子収容部４４を冷却し、この端子収容部４４の穴部４４ａ内に収容されている端子付き電線１１０の端子嵌合部１１２を冷却するように構成されている。
【００７０】
もっとも、冷却部４８は、上記構成に限られるものではなく、端子付き電線１１０の端子嵌合部１１２を冷却可能であれば良い。例えば、冷却部４８は、端子嵌合部１１２に直接冷風を当てるような構成、或いは、複数のフィンを有する放熱板であってもよい。
【００７１】
移動機構部５０は、端子付き電線保持部材４０を、端子付き電線１１０の芯線露出部１２２ａ、１２２ｂが噴流部３０ａ、３０ｂの開口に対向可能な姿勢で、噴流部３０から噴流される溶融した防食剤８０に浸る位置に移動可能に構成されている。より具体的には、端子付き電線保持部材４０は、移動機構部５０に対して、保持している複数の端子付き電線１１０の芯線露出部１２２が噴流部３０側（下方）を向くと共に、端子収容部４４及び電線収容部４６が対向する方向と噴流部３０ａ、３０ｂの並列方向とが略一致する姿勢で取り付けられている。そして、移動機構部５０は、その姿勢で端子付き電線保持部材４０を移動可能に構成されている。
【００７２】
ここでは、移動機構部５０は、第１移動部５２と第２移動部５４とを有している（図２、図７参照）。第１移動部５２は、端子付き電線保持部材４０を、端子収容部４４及び電線収容部４６の並列方向に移動可能に構成されている。移動機構部５０としては、例えば、リニアモーター等を組合せた構成を採用することができる。また、第２移動部５４は、端子付き電線保持部材４０を、端子付き電線１１０の芯線露出部１２２と端子１３０との接触部近傍と噴流部３０（より具体的には、芯線露出部１２２ａ、１２２ｂと噴流部３０ａ、３０ｂ）とが対向する方向に移動可能に構成されている。
【００７３】
また、ここでは、端子付き電線保持部材４０は、第２移動部５４に対して取り付けられている。端子付き電線保持部材４０を第２移動部５４に取り付ける構成として、以下の構成を採用している（図６参照）。すなわち、端子付き電線保持部材４０は、本体部４１の他主面から突出する取付部４０ａを有している。取付部４０ａは、基端部より先端部の方が大径な二段の略円柱形状に形成されており、穴部４４ａ及び溝部４６ａの並列方向に沿って複数（ここでは３つ）配設されている。また、第２移動部５４は、その駆動方向に略直交する平面に略平行に延出する支持部５５を有している。この支持部５５は、平面視端子付き電線保持部材４０と略同形状に形成されており、その先端部には端子付き電線保持部材４０の取付部４０ａに対応して、先端側に開口するスリット部５６が形成されている。このスリット部５６は、取付部４０ａの基端部より大きく、先端部より小さい幅寸法に形成されている。さらに第２移動部５４には、端子付き電線保持部材４０の本体部４１のうち端子収容部４４側端部を配設可能な凹部５７が形成されている。
【００７４】
そして、端子付き電線保持部材４０は、第２移動部５４に対して、本体部４１の端子収容部４４側端部を凹部５７内に配設すると共に、取付部４０ａの基端部をスリット部５６内に配設して、引っ掛けるように取り付けられる。
【００７５】
移動機構部５０は、端子付き電線１１０に防食剤８０を塗布する際には、第１移動部５２により、端子付き電線保持部材４０を、保持されている端子付き電線１１０のうち対象となる一つの芯線露出部１２２ａ、１２２ｂが噴流部３０ａ、３０ｂの開口に対向する位置に移動させる。また、第２移動部５４により、端子付き電線保持部材４０を、端子付き電線１１０の芯線露出部１２２ａ、１２２ｂが、噴流部３０ａ、３０ｂから噴流される溶融した防食剤８０に浸る位置に移動させる。この位置では、噴流部３０ａは、傾斜形状の先端部が端子付き電線１１０の端子嵌合部１１２と芯線露出部１２２ａとの間の空間に配設される。
【００７６】
もっとも、移動機構部５０は、上記構成に限られるものではなく、例えば、第２移動部５４を省略した構成であってもよい。この場合、第２移動部５４による移動方向において、端子付き電線保持部材４０を、端子付き電線１１０の芯線露出部１２２ａ、１２２ｂが噴流部３０ａ、３０ｂから噴流される溶融した防食剤８０に浸すことができる位置で端子付き電線１１０の並列方向に移動可能に構成されているとよい。また、移動機構部５０には、ロボットアーム等を採用してもよい。
【００７７】
局所加熱部６０は、端子付き電線１１０の芯線圧着部１１４近傍を加熱可能に構成されている。この局所加熱部６０は、移動機構部５０に取り付けられた端子付き電線保持部材４０を挟んで、噴流部３０に対向する本体部４１の他主面側の位置に配設されている（図２、図７参照）。
【００７８】
ここでは、局所加熱部６０には、管内でヒーターにより（例えば２００度に）熱した空気をファンにより噴出孔６２から噴出する構成を採用している。そして、局所加熱部６０は、芯線露出部１２２ａ、１２２ｂが噴流部３０ａ、３０ｂと対向する位置に配設された端子付き電線１１０のうち、芯線圧着部１１４が突出している部分の底部１１８に向けて熱風を噴出するように構成されている（図８、図１３参照）。
【００７９】
局所加熱部６０に上記構成を採用することにより、芯線露出部１２２ａ、１２２ｂを、噴流部３２ａ、３０ｂから噴流される溶融した防食剤８０に浸す直前に昇温させることができる。
【００８０】
もっとも、局所加熱部６０は、上記構成に限られず、端子付き電線１１０の底部１１８に接触して芯線圧着部１１４近傍を加熱する構成であってもよい。
【００８１】
＜３．防食剤塗布方法＞
次に、端子付き電線１１０に対して防食剤８０を塗布する方法について説明する。
【００８２】
まず、作業者は、端子付き電線１１０を端子付き電線保持部材４０にセット（ここでは複数セット）して保持し、この端子付き電線保持部材４０を第２移動部５４に取り付ける。
【００８３】
また、溶融した防食剤８０を噴流する。すなわち、防食剤槽２０に貯留されている溶融した防食剤８０を、噴流機構部２６により噴流部３０から噴流させる。端子付き電線１１０に防食剤８０を塗布する作業が終了するまで、溶融した防食剤８０を噴流させ続けると良い。
【００８４】
次に、第１移動部５２により、端子付き電線保持部材４０を、保持された複数の端子付き電線１１０のうち最初に防食剤８０を塗布する端子付き電線１１０の芯線露出部１２２ａ、１２２ｂが、噴流部３０ａ、３０ｂと対向する位置に移動する。もっとも、端子付き電線保持部材４０が第２移動部５４に取り付けられる際に、既に対象となる端子付き電線１１０が上記位置に配設されるように設定されていてもよい。この状態で、端子付き電線保持部材４０は、第２移動部５４により、端子付き電線１１０が噴流部３０から離間した位置に維持されている。
【００８５】
上記状態で、噴流部３０に対向する位置で保持された溶融した防食剤塗布前の端子付き電線１１０の芯線圧着部１１４近傍を加熱する（図８参照）。すなわち、局所加熱部６０により、芯線圧着部１１４が突出している部分の底部１１８に対して熱風を噴出する。これにより、端子付き電線１１０の芯線露出部１２２、端子１３０の芯線圧着部１１４及び底部１１８は、温度が上昇して溶融した防食剤８０を塗布し易い状態になる。
【００８６】
端子付き電線１１０の加熱をしつつ、第２移動部５４により端子付き電線保持部材４０を噴流部３０に近接する向きに（下降）移動させる（図９参照）。そして、端子付き電線１１０の芯線露出部１２２ａ、１２２ｂが噴流部３０ａ、３０ｂから噴流されている溶融した防食剤８０に浸る位置で移動を停止し、この位置で端子付き電線１１０を保持した状態で芯線露出部１２２ａ、１２２ｂに溶融した防食剤８０を塗布する（例えば１．５〜２秒間浸す）（図１０参照）。
【００８７】
この状態で、端子付き電線１１０は、噴流部３０ａの傾斜形状の先端部が、端子嵌合部１１２と芯線露出部１２２ａとの間の空間に配設される位置に配設されている。そして、噴流部３０ａから噴流される溶融した防食剤８０は、先端側部分の傾斜形状により、主として斜め上方に向けて芯線露出部１２２ａに浴びせられる。また、噴流部３０ｂから噴流される溶融した防食剤８０は、上方に向けて芯線露出部１２２ｂに浴びせられる。さらに、噴流部３０ａ、３０ｂから噴流される溶融した防食剤８０は、噴流部３０ａ、３０ｂ双方の間で結合して流れ、端子１３０の芯線圧着部１１４の露出されている表面の一部または全体に対しても浴びせられて塗布される。
【００８８】
端子付き電線１１０を溶融した防食剤８０に浸した後、第２移動部５４により、端子付き電線保持部材４０を噴流部３０から離間する向きに（上昇）移動させる（図１１参照）。この第２移動部５４の上昇移動速度は、端子付き電線１１０に塗布された溶融した防食剤８０が端子付き電線１１０から垂れる速度より遅い（好ましくは同じ）速度に設定されている。これにより、端子付き電線１１０に余分な防食剤８０が残留することを抑制することができる。このため、端子付き電線１１０の端子１３０がコネクタのキャビティー等に挿入される際に、余分に厚く塗布された防食剤８０がその内壁に接触して、防食剤８０が剥がれてしまうことを防止することができる。
【００８９】
第２移動部５４により、端子付き電線保持部材４０を、徐々に噴流部３０から離間移動させていくと、重力及び表面張力の作用により、噴流部３０ｂから噴流される防食剤８０と端子付き電線１１０に付着した溶融した防食剤８０がつながった状態で、噴流部３０ａから噴流される溶融した防食剤８０が端子付き電線１１０に付着した防食剤８０から分離される（図１２参照）。この状態で、端子付き電線１１０の芯線露出部１２２ａ及び芯線圧着部１１４に塗布された余分な溶融した防食剤８０は、噴流部３０ｂから噴流される溶融した防食剤８０と共に噴流部３０ｂ側に流れる。
【００９０】
さらに第２移動部５４により端子付き電線保持部材４０を移動させると、噴流部３０ｂから噴流される防食剤８０と端子付き電線１１０に付着した溶融した防食剤８０から分離される（図１３参照）。
【００９１】
第２移動部５４による端子付き電線保持部材４０の移動により、端子付き電線１１０が噴流部３０から噴流される溶融した防食剤８０に対して非接触の状態になると、端子付き電線１１０の芯線露出部１２２、これに隣接する芯線圧着部１１４及び底部１１８、また、それらに塗布された防食剤８０の温度は低下していく。次に、この温度が低下した防食剤８０が塗布された端子付き電線１１０の芯線圧着部１１４近傍を加熱する。すなわち、局所加熱部６０により、上記と同様に端子１３０の底部１１８に対して熱風を噴出する（例えば２〜３秒間加熱する）。これにより、加熱された芯線露出部１２２の表面に塗布された防食剤８０が加熱され、芯線露出部１２２の隅々にまで行き亘る。好ましくは、端子１３０のうち芯線圧着部１１４及び底部１１８の芯線露出部１２２に隣接する部分の表面も覆うように行き亘るとよい。
【００９２】
防食剤８０が塗布された端子付き電線１１０の加熱作業が終了すると、第１移動部５２により、端子付き電線保持部材４０を、次に防食剤８０を塗布する端子付き電線１１０の芯線露出部１２２ａ、１２２ｂが噴流部３０ａ、３０ｂに対向する位置に、端子付き電線１１０の並列方向一方側に移動する。
【００９３】
そして、端子付き電線１１０に塗布された防食剤８０が凝固すると、端子付き電線１１０の防食剤塗布部２１１が完成する（図１４参照）。この端子付き電線１１０の防食剤塗布部２１１とは、塗布された防食剤８０が芯線露出部１２２を覆った状態で凝固した構造を指す。好ましくは、防食剤８０が、芯線露出部１２２の隅々にまで行き亘ると共に、そこに隣接する端子１３０の芯線圧着部１１４及び底部１１８の表面に塗布された状態で凝固しているとよい。ここでは、端子付き電線１１０に塗布された防食剤８０は、次の対象となる端子付き電線１１０に対して防食剤８０を塗布する作業中に自然に凝固させている。
【００９４】
この後、上記と同様にして、端子付き電線１１０の防食剤塗布部２１１が製造されていく。そして、１つの端子付き電線保持部材４０に保持されている複数の端子付き電線１１０全てに対して防食剤８０の塗布作業が終了した後、端子付き電線保持部材４０は、第２移動部５４に対して取り付けされた位置まで第１移動部５２により移動される。そして、端子付き電線保持部材４０から防食剤８０が塗布された端子付き電線１１０を取り除き、防食剤８０が塗布されていない端子付き電線１１０をセットして、上記処理を繰り返すとよい。また、ここで、複数の端子付き電線１１０が保持された端子付き電線保持部材４０を予め複数準備しておき、防食剤８０の塗布作業が終了した端子付き電線保持部材４０と交換してもよい。
【００９５】
＜４．防食剤塗布端子付き電線＞
次に、防食剤塗布方法により防食剤８０が塗布されて製造された防食剤塗布端子付き電線２１０について説明する（図１４、図１５参照）。
【００９６】
防食剤塗布端子付き電線２１０は、端子付き電線１１０の芯線露出部１２２に防食剤８０が塗布された構造である。より具体的には、防食剤塗布端子付き電線２１０は、防食剤８０が、端子付き電線１１０の芯線露出部１２２の表面を覆うように塗布された防食剤塗布部２１１を有し、芯線露出部１２２に電食が発生することを防止するように構成されている。好ましくは、防食剤８０は、端子付き電線１１０の芯線露出部１２２の隅々にまで行き亘ると共に、そこに隣接する端子１３０の芯線圧着部１１４及び底部１１８の表面にも塗布されている（付着している）とよい。
【００９７】
そして、本防食剤塗布端子付き電線２１０では、防食剤８０は、芯線露出部１２２ａ、１２２ｂに対して、端子１３０の底部１１８側から電線１２０の芯線端部側（底部１１８から芯線圧着部１１４及び被覆圧着部１１６が突出する側）に向かって徐々に厚くなるように付着している。つまり、端子付き電線１１０に対して、芯線露出部１２２を下方に向ける姿勢で保持された状態で溶融した防食剤８０が塗布されているため、溶融した防食剤８０の一部は、芯線露出部１２２ａ、１２２ｂのうち端子１３０の底部１１８に対して反対側の部分に集まった状態で付着している。
【００９８】
ここでは、防食剤塗布端子付き電線２１０は、防食剤８０が、被覆部１２４のうち被覆圧着部１１６より端子嵌合部１１２側の部分及び芯線圧着部１１４に対して、部分的又は全体的に塗布されて構成されている。そして、防食剤８０は、上記箇所についても、端子１３０の底部１１８から芯線圧着部１１４が突出する方向に向けて徐々に厚く付着している。
【００９９】
上記のような防食剤塗布装置１０または防食剤塗布方法によると、防食剤槽２０に貯留された溶融した防食剤を噴流機構部２６により噴流部３０から噴流するため、端子付き電線１１０の芯線露出部１２２を溶融した防食剤８０に浸せばよい。これにより、芯線露出部１２２に対して防食剤８０を安定して適切に塗布することができ、より確実に防食処理を施すことができる。
【０１００】
また、噴流部３０ａ、３０ｂが芯線露出部１２２ａ、１２２ｂにそれぞれ対向可能な位置関係で配設されているため、電線１２０の芯線露出部１２２ａ、１２２ｂの標準電極電位が端子１３０の標準電極電位より低い異種金属の組合せの場合に、電食が発生する恐れのある芯線露出部１２２ａ、１２２ｂに対してより確実に防食剤８０を塗布し、良好な防食性能を得ることができる。また、噴流部３０ａ、３０ｂの２箇所から溶融した防食剤８０を噴流しているため、芯線露出部１２２ａ、１２２ｂに対して同時に防食剤８０を塗布することができ、作業効率を向上させることができる。
【０１０１】
また、端子付き電線１１０の芯線露出部１２２を上方に向けた姿勢で、芯線露出部１２２ａに対して溶融した防食剤８０を塗布する場合、芯線露出部１２２ａに塗布された溶融した防食剤８０が端子１３０の底部１１８をつたって端子嵌合部１１２側に流れる恐れがある。これに対して、本防食剤塗布装置または防食剤塗布方法では、端子付き電線１１０の芯線露出部１２２を下方に向けた姿勢で、芯線露出部１２２ａに対して噴流される溶融した防食剤８０を塗布しているため、芯線露出部１２２に塗布された溶融した防食剤８０は、芯線露出部１２２のうち底部１１８とは反対側部分に集まり易く、端子嵌合部１１２側に溶融した防食剤８０が流れ込んで付着することを抑制することができる。
【０１０２】
また、噴流部３０ａから噴流される溶融した防食剤８０が、噴流部３０ｂから噴流される防食剤８０より先に、端子付き電線１１０に付着した防食剤８０から分離されるように形成されているため、端子嵌合部１１２に余分な防食剤８０が付着することを抑制することができる。
【０１０３】
また、噴流部３０ａの先端側部分の傾斜形状により、噴流部３０ａから噴流される溶融した防食剤８０は、主として端子嵌合部１１２側から芯線圧着部１１４側に向けて流れるため、端子嵌合部１１２に余分な防食剤８０が付着することをより効果的に抑制することができる。
【０１０４】
また、防食剤８０を塗布する前に、芯線圧着部１１４近傍を加熱することにより、溶融した防食剤８０が付着し易くなるため、防食処理時間を短縮できると共に防食剤８０を良好に塗布することができる。また、防食剤８０を塗布した後に、芯線圧着部１１４近傍を加熱することにより、防食剤８０を芯線露出部１２２ａ、１２２ｂの隅々にまで行き亘らせることができると共に、これに隣接する端子１３０の芯線圧着部１１４及び底部１１８の表面に塗布することができ、より良好な防食性能を得ることができる。
【０１０５】
また、端子付き電線保持部材４０を採用し、端子付き電線１１０を、芯線圧着部１１４近傍、つまり、芯線圧着部１１４及び芯線露出部１２２を、溝部４１ａを通じて露出させる態様で保持するため、製品ごとに略同一の端子付き電線１１０の位置及び姿勢を維持した状態で芯線露出部１２２に対して防食剤８０を塗布することができる。これにより、製品ごとに安定した防食性能を得ることができる。また、冷却部４８により端子付き電線１１０の端子嵌合部１１２を冷却できるため、溶融した防食剤８０が端子嵌合部１１２の先端側に流れ込んで端子嵌合部１１２に余分な防食剤８０が付着することを抑制することができる。
【０１０６】
また、端子付き電線保持部材４０が、保持部４２により複数の端子付き電線１１０を並列状に保持できるため、端子付き電線１１０の防食処理を端子付き電線保持部材４０単位で連続して効率良く行うことができる。
【０１０７】
また、端子付き電線保持部材４０に保持された端子付き電線１１０を、芯線露出部１２２ａ、１２２ｂが噴流部３０ａ、３０ｂに対向する姿勢で噴流部３０ａ、３０ｂから噴流される溶融した防食剤８０に浸すことができるため、より確実に、芯線露出部１２２ａ、１２２ｂに対して防食剤を塗布することができる。
【０１０８】
端子付き電線１１０に対して、芯線露出部１２２を上方に向ける姿勢で保持された状態で溶融した防食剤８０が塗布されると、芯線露出部１２２のうち端子１３０の底部１１８に対して反対側の部分（特に芯線露出部１２２ａの尖端等）は、防食剤８０が薄くなってしまう。これに対して、端子付き電線１１０が、芯線露出部１２２を下方に向けた姿勢で、噴流されている溶融した防食剤８０に浸されるため、溶融した防食剤８０の一部が、重力により、芯線露出部１２２のうち端子１３０の底部１１８に対して反対側の部分に集まって付着している。つまり、上記部分で、重力により垂れる分だけ防食剤８０の膜厚を増すことができる。このため、本防食剤塗布端子付き電線２１０では、防食剤８０が、芯線露出部１２２に対して、端子１３０の底部１１８側から電線１２０の芯線端部側に向かって徐々に厚くなるように付着している。これにより、接触部近傍を上方に向けて塗布する場合と比較して、芯線露出部１２２の尖端等の周りで防食剤８０が厚く付着しており、高い防食性能を発揮することができる。
【符号の説明】
【０１０９】
１０  防食剤塗布装置
２０  防食剤槽
２６  噴流機構部
３０（３０ａ、３０ｂ）  噴流部
４０  端子付き電線保持部材
４２  保持部
４８  冷却部
５０  移動機構部
６０  局所加熱部
８０  防食剤
１１０  端子付き電線
１１２  端子嵌合部
１１４  芯線圧着部
１１８  底部
１２０  電線
１２２（１２２ａ、１２２ｂ）  芯線露出部
１３０  端子
２１０  防食剤塗布端子付き電線
２１１  防食剤塗布部
【図１】
2011087381.tif 000003
【図２】
2011087381.tif 000004
【図３】
2011087381.tif 000005
【図４】
2011087381.tif 000006
【図５】
2011087381.tif 000007
【図６】
2011087381.tif 000008
【図７】
2011087381.tif 000009
【図８】
2011087381.tif 000010
【図９】
2011087381.tif 000011
【図１０】
2011087381.tif 000012
【図１１】
2011087381.tif 000013
【図１２】
2011087381.tif 000014
【図１３】
2011087381.tif 000015
【図１４】
2011087381.tif 000016
【図１５】
2011087381.tif 000017